(57)【要約】【課題】互いに嵌合接続される一対のハウジングに装着される端子金具を同一構造の端子金具に統一して、端子金具の種類を削減させることができると同時に、端子金具相互の接続時にこじりやドツキに起因する端子金具の変形を招くことがなく、安定した電気的接続性能を確保することのできる端子金具を提供すること。【解決手段】互いに嵌合接続される一対のハウジング５０，６０に接触部４３の向きを反転させた状態で保持される端子金具４０Ａ，４０Ｂであって、接触部４３は、ハウジング相互の嵌合方向に対して所定の傾斜角に傾斜した傾斜板４３１と、前記傾斜板４３１の外面に突設された係合突起部４３２と、反転状態で対向する相手の端子金具における前記係合突起部４３２が嵌合可能な係合凹部４３３と、を備え、一対のハウジング５０，６０を嵌合接続させると、反転状態で対向していた傾斜板４３１の外面同士が面接触状態に突き合されることで、同一構造の一対の端子金具相互が導通接続状態になる。【選択図】図１４
2014022071.tif 000002
【特許請求の範囲】
【請求項１】
互いに嵌合接続される一対のハウジングに接触部の向きを反転させた状態で保持され、前記一対のハウジングを嵌合接続させると、それぞれのハウジングに保持されている同一構造の端子金具の接触部同士が接触して、同一構造の端子金具相互が導通接続状態になる端子金具であって、
前記接触部は、ハウジング相互の嵌合方向に対して所定の傾斜角に傾斜した傾斜板と、前記傾斜板の外面に突設された係合突起部と、反転状態で対向する相手の端子金具における前記係合突起部が嵌合可能な係合凹部と、を備え、
前記一対のハウジングを嵌合接続させると、反転状態で対向していた前記傾斜板の外面同士が面接触状態に突き合されることで、同一構造の一対の端子金具相互が導通接続状態になることを特徴とする端子金具。
【請求項２】
前記傾斜板は、所定の傾斜角で延出する方向の端部が自由端となる突片状で、一対の前記端子金具の傾斜板同士が突き合された時に、前記傾斜角を変化させる弾性変形によって、面接触している傾斜板間に所定の接触圧が確保されることを特徴とする請求項１に記載の端子金具。
【発明の詳細な説明】
【技術分野】
【０００１】
本発明は、互いに嵌合接続される一対のハウジングに装着される端子金具を同一構造の端子金具に統一して、端子金具の種類を削減させることができる端子金具に関する。
【背景技術】
【０００２】
図１５及び図１６は、下記特許文献１に開示されたコネクタを示している。
このコネクタ１０は、互いに嵌合接続される一対のハウジング１Ａ，１Ｂと、これらの一対のハウジング１Ａ，１Ｂに保持される端子金具４ａ，４ｂと、を備えている。
【０００３】
ハウジング１Ａとハウジング１Ｂは、同一構造に形成されている。これらのハウジング１Ａ，１Ｂにおいて、同一構造の構成（部位）は数字の後にＡ又はＢの添え字（英字）を付与することで、対応させている。
【０００４】
これらのハウジング１Ａ，１Ｂは、先端部に、ロック片２Ａ，２Ｂと、ガード部３Ａ，３Ｂと、が突設されている。
【０００５】
ロック片２Ａ，２Ｂは、ハウジング相互の嵌合方向（図１５の矢印Ｘ１方向）に延出して設けられている。それぞれのロック片２Ａ，２Ｂは、図１６に示すように、相手のハウジングの外周部の係合凹部９Ｂ，９Ａに係合して、ハウジング相互の接続状態をロックする。
【０００６】
ガード部３Ａ，３Ｂは、ハウジング相互の嵌合方向（図１５の矢印Ｘ１方向）に延出して設けられている。それぞれのガード部３Ａ，３Ｂは、図１６に示すように、相手のハウジング内に嵌入して、相手のハウジングの嵌合方向と直交する方向への移動を規制する。
【０００７】
ハウジング１Ａに保持された端子金具４ａと、ハウジング１Ｂに保持された端子金具４ｂは、同一構造に形成されている。これらの端子金具４ａ，４ｂにおいて、同一構造の構成（部位）は数字の後にａ又はｂの添字（英字）を付与することで、対応させている。
【０００８】
端子金具４ａ，４ｂは、接触部１１ａ，１１ｂと、電線接続部１２ａ，１２ｂと、を備える。
【０００９】
接触部１１ａ，１１ｂは、相手の端子金具に接触させる部位で、それぞれの端子金具の先端に装備されている。また、それぞれの接触部１１ａ，１１ｂは、ハウジング相互の嵌合方向（図１５の矢印Ｘ１方向）に突出した第１の接触片５ａ，５ｂと、第２の接触片６ａ，６ｂと、を備えている。第２の接触片６ａ，６ｂは、第１の接触片５ａ，５ｂとの間に所定の隙間Ｓ１を開けると共に、第１の接触片５ａ，５ｂと平行に配置されている。また、第２の接触片６ａ，６ｂは、第１の接触片５ａ，５ｂよりも突出長が短く設定されている。
【００１０】
第１及び第２の接触片間の隙間Ｓ１は、相手の端子金具の第１の接触片５ａ，５ｂが嵌入可能な隙間である。
【００１１】
電線接続部１２ａ，１２ｂは、電線を接続する部位で、それぞれの端子金具の後端に装備されている。また、それぞれの電線接続部１２ａ，１２ｂは、被覆電線の導体の上に加締め付けて導体を圧着接続する導体加締め部７ａ，７ｂと、被覆電線の外被の上に加締め付けて被覆電線を固定する被覆加締め部８ａ．８ｂと、を備えている。
【００１２】
端子金具４ａ，４ｂは、長尺の第１の接触片５ａ，５ｂをガード部３Ａ，３Ｂ側に位置させて、それぞれのハウジング１Ａ，１Ｂに保持されている。
【００１３】
一対のハウジング１Ａ，１Ｂは、図１５及び図１６に示すように、上下反転させた状態で突き合わせることで、嵌合接続される。そして、一対のハウジング１Ａ，１Ｂを嵌合接続させると、図１６に示すように、それぞれの端子金具の第１の接触片５ａ，５ｂが、相手の端子金具の第１及び第２の接触片間の隙間Ｓ１に嵌入して、第１の接触片５ａ，５ｂ同士が面接触状態になることで、端子金具４ａ，４ｂ相互が導通接続された状態になる。
【００１４】
このように一対のハウジング１Ａ，１Ｂに装備される端子金具４ａ，４ｂが同一構造の場合には、端子金具の種類を削減させることができ、コネクタ接続のコストを低減させることができる。
【先行技術文献】
【特許文献】
【００１５】
【特許文献１】特開２００６−３３１９７２号公報
【発明の概要】
【発明が解決しようとする課題】
【００１６】
ところが、特許文献１における端子金具４ａ，４ｂは、相手の端子金具との接触面がハウジング相互の嵌合方向に沿って突出した第１の接触片５ａ，５ｂの表面であり、接触面間における接触圧を安定させることが難しいという問題があった。
【００１７】
また、ハウジング１Ａ，１Ｂ相互の突き合わせ操作時に、ハウジング１Ａ，１Ｂのそれぞれを正確に軸合わせして突き合わせないと、接触部１１ａ，１１ｂ間にこじりやドツキが発生して、接触部１１ａ，１１ｂに変形を招くおそれがあった。そして、接触部１１ａ，１１ｂの変形が電気的接続性能の低下を招くおそれがあった。
【００１８】
そこで、本発明の目的は、上記課題を解消することに係り、互いに嵌合接続される一対のハウジングに装着される端子金具を同一構造の端子金具に統一して、端子金具の種類を削減させることができると同時に、端子金具相互の接続時にこじりやドツキに起因する端子金具の変形を招くことがなく、安定した電気的接続性能を確保することのできる端子金具を提供することにある。
【課題を解決するための手段】
【００１９】
本発明の前述した目的は、下記の構成により達成される。
（１）  互いに嵌合接続される一対のハウジングに接触部の向きを反転させた状態で保持され、前記一対のハウジングを嵌合接続させると、それぞれのハウジングに保持されている同一構造の端子金具の接触部同士が接触して、同一構造の端子金具相互が導通接続状態になる端子金具であって、
前記接触部は、ハウジング相互の嵌合方向に対して所定の傾斜角に傾斜した傾斜板と、前記傾斜板の外面に突設された係合突起部と、反転状態で対向する相手の端子金具における前記係合突起部が嵌合可能な係合凹部と、を備え、
前記一対のハウジングを嵌合接続させると、反転状態で対向していた前記傾斜板の外面同士が面接触状態に突き合されることで、同一構造の一対の端子金具相互が導通接続状態になることを特徴とする端子金具。
【００２０】
（２）  前記傾斜板は、所定の傾斜角で延出する方向の端部が自由端となる突片状で、一対の前記端子金具の傾斜板同士が突き合された時に、前記傾斜角を変化させる弾性変形によって、面接触している傾斜板間に所定の接触圧が確保されることを特徴とする上記（１）に記載の端子金具。
【００２１】
上記（１）の構成によれば、互いに嵌合接続される一対のハウジングに装着される端子金具を同一構造の端子金具に統一して、端子金具の種類を削減させることができる。
【００２２】
また、一対のハウジングを嵌合接続させた時に接触する接触面は、ハウジング相互の嵌合方向に対して所定の傾斜角に傾斜した傾斜板の外面で、ハウジング相互の嵌合方向に対して傾斜した傾斜面同士が突き合されることになるため、端子金具相互の接続時にこじりやドツキに起因する端子金具の変形を招くことがない。しかも、面接触するそれぞれの端子金具の傾斜板は、互いの係合突起部と係合凹部とが係合することで、電気的な接続を不安定にする接触面間の滑りを防止することができる。従って、安定した電気的接続性能を確保することができる。
【００２３】
上記（２）の構成によれば、一対のハウジングを嵌合接続させた時に面接触する各端子金具の傾斜板は、突き合わせ時に受けるハウジング相互の嵌合方向の力によって傾斜角を変化させる弾性変形を生じ、その弾性変形によって面接触している傾斜板間に所定の接触圧が確保されるため、寸法公差や組立誤差の影響を受けずに、より安定した電気的接続性能を確保することができる。
【発明の効果】
【００２４】
本発明による端子金具によれば、互いに嵌合接続される一対のハウジングに装着される端子金具を同一構造の端子金具に統一して、端子金具の種類を削減させることができる。
【００２５】
また、一対のハウジングを嵌合接続させた時に接触する接触面は、ハウジング相互の嵌合方向に対して所定の傾斜角に傾斜した傾斜板の外面で、ハウジング相互の嵌合方向に対して傾斜した傾斜面同士が突き合されることになるため、端子金具相互の接続時にこじりやドツキに起因する端子金具の変形を招くことがない。しかも、面接触するそれぞれの端子金具の傾斜板は、互いの係合突起部と係合凹部とが係合することで、電気的な接続を不安定にする接触面間の滑りを防止することができる。従って、安定した電気的接続性能を確保することができる。
【００２６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２７】
【図１】図１は本発明に係る端子金具が組み込まれるコネクタの一実施形態の分解斜視図である。
【図２】図２は図１に示した一対のハウジングの部品構成を示す分解斜視図である。
【図３】図３は図１に示した第１のハウジングにおいて、ハウジング本体に２重係止部品が仮係止された状態の斜視図である。
【図４】図４は図３に示した第１のハウジングの縦断面図である。
【図５】図５は図１に示した第１のハウジングにおいて、ハウジング本体に２重係止部品が本係止された状態の斜視図である。
【図６】図６は図５に示した第１のハウジングの縦断面図である。
【図７】図７は図１に示した第２のハウジングにおいて、ハウジング本体に２重係止部品が仮係止された状態の縦断面図である。
【図８】図８は図１に示した第１のハウジングにおいて、ハウジング本体に２重係止部品が本係止された状態の縦断面図である。
【図９】図９は本発明に係る端子金具の一実施形態の斜視図である。
【図１０】図１０は図９に示した端子金具の縦断面図である。
【図１１】図１１は図１０に示した端子金具の先端部の拡大図である。
【図１２】図１２は一実施形態のコネクタにおいて、端子金具が組み込まれた一対のハウジングの嵌合前の対向状態の縦断面図である。
【図１３】図１３は一実施形態のコネクタにおいて一対のハウジングが嵌合接続された状態の縦断面図である。
【図１４】図１４は図１３のＢ部の拡大図である。
【図１５】図１５は一対のハウジングに同一構造の端子金具が装着される従来のコネクタのハウジング相互が離脱している状態の側面図である。
【図１６】図１６は図１５に示した一対のハウジングが嵌合接続された状態の縦断面図である。
【発明を実施するための形態】
【００２８】
以下、本発明に係る端子金具の好適な実施形態について、図面を参照して詳細に説明する。
【００２９】
図１〜図８は本発明に係る端子金具が組み込まれるコネクタの一実施形態を示したもので、図１は一実施形態のコネクタの分解斜視図、図２は図１に示した一対のハウジングの部品構成を示す分解斜視図、図３は図１に示した第１のハウジングにおいて、ハウジング本体に２重係止部品が仮係止された状態の斜視図、図４は図３に示した第１のハウジングの縦断面図、図５は図１に示した第１のハウジングにおいて、ハウジング本体に２重係止部品が本係止された状態の斜視図、図６は図５に示した第１のハウジングの縦断面図、図７は図１に示した第２のハウジングにおいて、ハウジング本体に２重係止部品が仮係止された状態の縦断面図、図８は図１に示した第１のハウジングにおいてハウジング本体に２重係止部品が本係止された状態の縦断面図である。
【００３０】
また、図９〜図１１は一実施形態の端子金具を示したもので、図９は一実施形態の端子金具の斜視図、図１０は図９に示した端子金具の縦断面図、図１１は図１０に示した端子金具の先端部の拡大図である。
【００３１】
図１に示したコネクタ２０は、被覆電線３０の端部に圧着接続された端子金具４０Ａを保持する第１のハウジング５０と、被覆電線３０の端部に圧着接続された端子金具４０Ｂを保持する第２のハウジング６０と、を備えている。
【００３２】
端子金具４０Ａと端子金具４０Ｂは、同一構造の端子金具である。これらの端子金具４０Ａ，４０Ｂの特徴的な構成は、第１のハウジング５０及び第２のハウジング６０の構成を説明した後で、詳述する。
【００３３】
第１のハウジング５０は、先端部が、後述する第２のハウジング６０のフード部６１４に挿入される雄型のハウジングである。この第１のハウジング５０は、図２〜図４に示すように、ハウジング本体５１と、該ハウジング本体５１に嵌合装着される二重係止部材５２と、を備えている。
【００３４】
ハウジング本体５１は、図３〜図６に示すように、端子収容孔５１１と、端子係止ランス５１２と、ランス逃げ空間５１３と、ロックアーム５１４と、仮係止部５１７と、を備えている。
【００３５】
端子収容孔５１１は、端子金具４０Ａが挿入される孔で、一対のハウジング５０，６０の嵌合方向（図１の矢印Ｘ２方向）に沿って、ハウジング本体５１に貫通形成されている。
【００３６】
端子係止ランス５１２は、図４に示すように、弾性片５１２ａと、係止突起５１２ｂと、を有している。弾性片５１２ａは、端子収容孔５１１に臨む位置において、端子金具４０Ａの挿入方向に沿って延出している。係止突起５１２ｂは、弾性片５１２ａの先端から端子収容孔５１１内に突出した突起である。
【００３７】
端子係止ランス５１２は、端子金具４０Ａが端子収容孔５１１に挿入途中の時には、係止突起５１２ｂに端子金具４０Ａが当接することによって、弾性片５１２ａがランス逃げ空間５１３側に撓み変位して、係止突起５１２ｂが端子収容孔５１１の外側に退避し、端子金具４０Ａの挿入を許容する。そして、端子金具４０Ａが端子収容孔５１１の規定位置まで挿入されると、弾性復元力で係止突起５１２ｂが端子収容孔５１１側に復帰して、端子金具４０Ａに係合することで、端子金具４０Ａを抜け止めする。
【００３８】
ランス逃げ空間５１３は、図４に示すように、端子収容孔５１１に端子金具４０Ａが挿入途中の時に、端子係止ランス５１２の撓み変位を許容する隙間で、端子係止ランス５１２の背部に設けられている。
【００３９】
ロックアーム５１４は、第１のハウジング５０と第２のハウジング６０との嵌合接続が完了する時に、第１のハウジング５０を第２のハウジング６０に固定する部材である。このロックアーム５１４は、図３に示すように、ハウジング本体５１の前端側の外側面から立ち上がってハウジング本体５１の後端側に延出するアーム本体５１４ａと、アーム本体５１４ａに装備されたロック突起５１４ｂと、を備えている。
【００４０】
ロックアーム５１４は、図１３に示すように、ロック突起５１４ｂを第２のハウジング６０のアーム係合部６１５に係合させることで、第１のハウジング５０と第２のハウジング６０との接続状態をロックする。
【００４１】
仮係止部５１７は、二重係止部材５２を仮係止位置に仮止めする部位で、図３及び図４に示すように、ハウジング本体５１の先端部において、端子収容孔５１１側に突出したリブ構造に形成されている。
【００４２】
二重係止部材５２は、図４に示すように、ランス係止片５２１と、仮係止用突起５２２と、本係止用突起５２３と、を備えている。
【００４３】
ランス係止片５２１は、図６に示すようにランス逃げ空間５１３に進入して、端子係止ランス５１２のランス逃げ空間５１３側への変位を規制することで、端子係止ランス５１２による端子金具４０Ａの抜け止めがロックされた二重係止状態を形成する。
【００４４】
仮係止用突起５２２と本係止用突起５２３は、図４に示すように、仮係止部５１７を挟む間隔で、装備されている。図４に示すように、仮係止用突起５２２と本係止用突起５２３とが仮係止部５１７を挟んでいる状態は、二重係止部材５２がハウジング本体５１に仮止めされている状態である。この仮止め状態では、ランス係止片５２１はランス逃げ空間５１３には進入しておらず、端子係止ランス５１２の撓み変位は規制されない。即ち、二重係止部材５２が仮止め状態にある時には、端子収容孔５１１への端子金具４０Ａの挿入が可能である。
【００４５】
図４の状態から更に二重係止部材５２がハウジング本体５１内に押し込まれて、図６に示すように、本係止用突起５２３が仮係止部５１７の内側に係合した状態は、二重係止部材５２が本係止された状態である。この本係止状態では、図６に示すように、ランス係止片５２１がランス逃げ空間５１３内に侵入して、ランス逃げ空間５１３側への端子係止ランス５１２の変位を規制する。
【００４６】
第２のハウジング６０は、図７及び図８に示すように、第１のハウジング５０が嵌合する雌型のハウジングである。この第２のハウジング６０は、図２に示すように、ハウジング本体６１と、該ハウジング本体６１に嵌合装着される二重係止部材５２と、を備えている。ハウジング本体６１に装着される二重係止部材５２は、ハウジング本体５１に装着される二重係止部材５２と同一構造であるので、説明は省略する。
【００４７】
ハウジング本体６１は、図７及び図８に示すように、端子収容孔６１１と、端子係止ランス６１２と、ランス逃げ空間６１３と、フード部６１４と、仮係止部６１７と、を備えている。
【００４８】
端子収容孔６１１は、端子金具４０Ｂが挿入される孔で、一対のハウジング５０，６０の嵌合方向（図１の矢印Ｘ２方向）に沿って、ハウジング本体６１に貫通形成されている。
【００４９】
端子係止ランス６１２は、図７に示すように、弾性片６１２ａと、係止突起６１２ｂと、を有している。弾性片６１２ａは、端子収容孔６１１に臨む位置において、端子金具４０Ｂの挿入方向に沿って延出している。係止突起６１２ｂは、弾性片６１２ａの先端から端子収容孔６１１内に突出した突起である。
【００５０】
端子係止ランス６１２は、端子金具４０Ｂが端子収容孔６１１に挿入途中の時には、係止突起６１２ｂに端子金具４０Ｂが当接することによって、弾性片６１２ａがランス逃げ空間６１３側に撓み変位して、係止突起６１２ｂが端子収容孔６１１の外側に退避し、端子金具４０Ｂの挿入を許容する。そして、端子金具４０Ｂが端子収容孔６１１の規定位置まで挿入されると、弾性復元力で係止突起６１２ｂが端子収容孔６１１側に復帰して、端子金具４０Ｂに係合することで、端子金具４０Ｂを抜け止めする。
【００５１】
ランス逃げ空間６１３は、図７に示すように、端子収容孔６１１に端子金具４０Ｂが挿入途中の時に、端子係止ランス６１２の撓み変位を許容する隙間で、端子係止ランス６１２の背部に設けられている。
【００５２】
フード部６１４は、第１のハウジング５０の先端部が挿入される筒状の部位である。図８に示すように、フード部６１４の上部壁の先端側内面には、アーム係合部６１５が装備されている。このアーム係合部６１５は、第１のハウジング５０と第２のハウジング６０との嵌合接続が完了する時に、図１３に示すように、第１のハウジング５０におけるロックアーム５１４のロック突起５１４ｂと係合することで、第１のハウジング５０と第２のハウジング６０との接続状態をロックする。
【００５３】
仮係止部６１７は、二重係止部材５２を仮係止位置に仮止めする部位で、図７に示すように、フード部６１４の内奥部に開口する端子収容孔６１１の先端部において、端子収容孔６１１側に突出したリブ構造に形成されている。
【００５４】
二重係止部材５２は、図７に示すように、仮係止部６１７を仮係止用突起５２２と本係止用突起５２３とで挟持した状態に取り付けられることで、ハウジング本体６１に仮止めされた状態になる。この仮止め状態では、ランス係止片５２１はランス逃げ空間６１３には進入しておらず、端子係止ランス６１２の撓み変位は規制されない。即ち、二重係止部材５２が仮止め状態にある時には、端子収容孔６１１への端子金具４０Ｂの挿入が可能である。
【００５５】
図７の状態から更に二重係止部材５２がハウジング本体６１内に押し込まれて、図８に示すように、本係止用突起５２３が仮係止部６１７の内側に係合した状態は、二重係止部材５２が本係止された状態である。この本係止状態では、図８に示すように、ランス係止片５２１がランス逃げ空間６１３内に侵入して、ランス逃げ空間６１３側への端子係止ランス６１２の変位を規制する。
【００５６】
ハウジング本体６１における端子収容孔６１１及び端子係止ランス６１２は、収容する端子金具４０Ｂの向きが、ハウジング本体５１内の端子金具４０Ａと上下反転させた向きとなるように、配置されている。
【００５７】
次に、第１のハウジング５０及び第２のハウジング６０に保持される端子金具４０Ａ，４０Ｂについて、説明する。
【００５８】
本実施形態における端子金具４０Ａ，４０Ｂは、金属板のプレス成形によって形成される同一構造の端子金具である。
【００５９】
端子金具４０Ａ，４０Ｂは、図９及び図１０に示すように、端子本体部４１と、この端子本体部４１の後端に延設される電線接続部４２と、端子本体部４１の先端部に突出して装備される接触部４３とを、備えている。
【００６０】
端子本体部４１は、角筒状の構造で、端子収容孔５１１,６１１の規定位置まで挿入された時に、その後端部に端子係止ランス５１２，６１２が係合することで、各端子収容孔５１１,６１１内に固定される。
【００６１】
電線接続部４２は、被覆電線３０を接続する部位で、被覆電線３０を外被の上に加締め付けられて被覆電線３０を固定する被覆固定片４２ａと、被覆電線３０の導体の上に加締め付けられて導体に導通接続される導体圧着片４２ｂと、を備える。
【００６２】
接触部４３は、図９〜図１１に示すように、ハウジング相互の嵌合方向に対して所定の傾斜角に傾斜した傾斜板４３１と、傾斜板４３１の外面に突設された係合突起部４３２と、反転状態で対向する相手の端子金具における係合突起部４３２が嵌合可能な係合凹部４３３と、を備える。
【００６３】
傾斜板４３１は、図１０及び図１１に示すように、端子本体部４１を構成する一側壁部から延出するばね板部４３４の先端側を、所定の傾斜状態に折り曲げることにより、形成されている。
【００６４】
また、本実施形態の傾斜板４３１は、図１１に示すように所定の傾斜角で延出する方向の端部が自由端となる突片状で、一対の端子金具４０Ａ，４０Ｂの傾斜板４３１同士が突き合された時に、傾斜角を変化させる弾性変形によって、面接触している傾斜板４３１間に所定の接触圧が確保される。
【００６５】
本実施形態の端子金具４０Ａ，４０Ｂは、図１２に示すように、互いに嵌合接続される一対のハウジング５０，６０に、接触部４３の向きを上下反転させた状態で保持される。
【００６６】
そして、一対のハウジング５０，６０を嵌合接続させると、図１３及び図１４に示すように、それぞれのハウジングに保持されている端子金具４０Ａ，４０Ｂの接触部４３同士が接触して、反転状態で対向していた傾斜板４３１の外面同士が面接触状態に突き合されることで、同一構造の一対の端子金具４０Ａ，４０Ｂ相互が導通接続状態になる。      
【００６７】
以上に説明した一実施形態の端子金具４０Ａ，４０Ｂの構成によれば、互いに嵌合接続される一対のハウジング５０，６０に装着される端子金具を同一構造の端子金具に統一して、端子金具の種類を削減させることができる。
【００６８】
また、以上に説明した一実施形態の端子金具４０Ａ，４０Ｂの構成によれば、一対のハウジング５０，６０を嵌合接続させた時に接触する接触面は、ハウジング相互の嵌合方向に対して所定の傾斜角に傾斜した傾斜板４３１の外面で、ハウジング相互の嵌合方向に対して傾斜した傾斜面同士が突き合されることになるため、端子金具相互の接続時にこじりやドツキに起因する端子金具の変形を招くことがない。しかも、面接触するそれぞれの端子金具４０Ａ，４０Ｂの傾斜板４３１は、互いの係合突起部４３２と係合凹部４３３とが係合することで、電気的な接続を不安定にする接触面間の滑りを防止することができる。従って、安定した電気的接続性能を確保することができる。
【００６９】
また、以上に説明した一実施形態の端子金具４０Ａ，４０Ｂの構成によれば、一対のハウジング５０，６０を嵌合接続させた時に面接触する各端子金具４０Ａ，４０Ｂの傾斜板４３１は、突き合わせ時に受けるハウジング相互の嵌合方向の力によって傾斜角を変化させる弾性変形を生じ、その弾性変形によって面接触している傾斜板４３１間に所定の接触圧が確保されるため、寸法公差や組立誤差の影響を受けずに、より安定した電気的接続性能を確保することができる。
【００７０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７１】
ここで、上述した本発明に係る端子金具の実施形態の特徴をそれぞれ以下［１］〜［２］に簡潔に纏めて列記する。
【００７２】
［１］  互いに嵌合接続される一対のハウジング（５０，６０）に接触部（４３）の向きを反転させた状態で保持され、前記一対のハウジング（５０，６０）を嵌合接続させると、それぞれのハウジングに保持されている同一構造の端子金具（４０Ａ，４０Ｂ）の接触部（４３）同士が接触して、同一構造の端子金具相互が導通接続状態になる端子金具（４０Ａ，４０Ｂ）であって、
前記接触部（４３）は、ハウジング相互の嵌合方向に対して所定の傾斜角に傾斜した傾斜板（４３１）と、前記傾斜板（４３１）の外面に突設された係合突起部（４３２）と、反転状態で対向する相手の端子金具における前記係合突起部（４３２）が嵌合可能な係合凹部（４３３）と、を備え、
前記一対のハウジング（５０，６０）を嵌合接続させると、反転状態で対向していた前記傾斜板（４３１）の外面同士が面接触状態に突き合されることで、同一構造の一対の端子金具相互が導通接続状態になることを特徴とする端子金具（４０Ａ，４０Ｂ）。
【００７３】
［２］  前記傾斜板（４３１）は、所定の傾斜角で延出する方向の端部が自由端となる突片状で、一対の前記端子金具（４０Ａ，４０Ｂ）の傾斜板（４３１）同士が突き合された時に、前記傾斜角を変化させる弾性変形によって、面接触している傾斜板（４３１）間に所定の接触圧が確保されることを特徴とする上記［１］に記載の端子金具（４０Ａ，４０Ｂ）。
【符号の説明】
【００７４】
４０Ａ，４０Ｂ  端子金具
４３  接触部
５０，６０  ハウジング
４３１  傾斜板
４３２  係合突起部
４３３  係合凹部
【図１】
2014022071.tif 000003
【図２】
2014022071.tif 000004
【図３】
2014022071.tif 000005
【図４】
2014022071.tif 000006
【図５】
2014022071.tif 000007
【図６】
2014022071.tif 000008
【図７】
2014022071.tif 000009
【図８】
2014022071.tif 000010
【図９】
2014022071.tif 000011
【図１０】
2014022071.tif 000012
【図１１】
2014022071.tif 000013
【図１２】
2014022071.tif 000014
【図１３】
2014022071.tif 000015
【図１４】
2014022071.tif 000016
【図１５】
2014022071.tif 000017
【図１６】
2014022071.tif 000018